(57)【要約】      （修正有）【課題】設置スペースを小さくできると共に、ウエブの通紙が行い易いウエブのアキューム装置を提供する。【解決手段】フレーム１０に立設された支持壁３０と、前記支持壁３０に一方の軸のみが回転自在に支持された第１固定ローラ３２と、支持壁３０に一方の軸のみが回転自在に支持された第２固定ローラと、第１固定ローラ３２と第２固定ローラとの間であって、支持壁３０に対し上下動自在に設けられた移動支持部４４と、移動支持部４４に一方の軸のみが回転自在に支持された移動ローラ３８と、移動支持部４４を上下動させる駆動部５２とを有し、第１固定ローラ３２と第２固定ローラが同じ高さに設けられ、走行するウエブは、第１固定ローラ３２、移動ローラ３８、第２固定ローラの順番に架け渡されている。【選択図】図４
2018184268.tif 000002
【特許請求の範囲】
【請求項１】
フレームと、
前記フレームに立設された支持壁と、
前記支持壁に一方の軸のみが回転自在に支持された少なくとも１本の第１固定ローラと、
前記支持壁に一方の軸のみが回転自在に支持された少なくとも１本の第２固定ローラと、
前記第１固定ローラと前記第２固定ローラとの間であって、前記支持壁に対し上下動自在に設けられた移動支持部と、
前記移動支持部に一方の軸のみが回転自在に支持された少なくとも１本の移動ローラと、
前記移動支持部を上下動させる駆動手段と、
を有し、
前記第１固定ローラと第２固定ローラが同じ高さに設けられ、
走行するウエブは、前記第１固定ローラ、前記移動ローラ、前記第２固定ローラの順番に架け渡されている、
ウエブのアキューム装置。
【請求項２】
前記駆動手段は、
垂直方向に配された雄ネジ棒と、
前記雄ネジ棒を回転させる回転手段と、
前記移動支持部に設けられ、前記雄ネジ棒が螺合する雌ネジ孔と、
を有する請求項１に記載のウエブのアキューム装置。
【請求項３】
前記駆動手段は、
前記フレームの上部と下部に垂直方向に固定されたシャフトと、
前記移動支持部に設けられ、前記シャフトが貫通する貫通孔と、
をさらに有する請求項２に記載のウエブのアキューム装置。
【請求項４】
前記シャフトは、前記雄ネジ棒の両側に設けられている、
請求項３に記載のウエブのアキューム装置。
【請求項５】
前記支持壁に２本の前記第１固定ローラが水平に設けられ、
前記支持壁に２本の前記第１固定ローラが水平に設けられている、
請求項１に記載のウエブのアキューム装置。
【請求項６】
前記移動支持部に２本の前記移動ローラが水平に設けられている、
請求項１に記載のウエブのアキューム装置。
【請求項７】
前記支持壁に切欠き部が設けられ、
前記切欠き部に沿って前記移動支持部が上下動自在に設けられ、
前記切欠き部の上部と前記移動支持部の上部との間の開口部を閉塞する上シャッタ部材と、
前記切欠き部の下部と前記移動支持部の下部との間の開口部を閉塞する下シャッタ部材と、
を有する請求項２に記載のウエブのアキューム装置。
【請求項８】
前記支持壁の一方の空間である作業空間に前記第１固定ローラ、前記移動ローラ、前記第２固定ローラが配され、
前記支持壁の他方の空間に前記雄ネジ棒が配され、
前記切欠き部を閉塞する前記上シャッタ部材と前記下シャッタ部材によって、前記作業空間と前記他方の空間を仕切っている、
請求項２に記載のウエブのアキューム装置。
【請求項９】
前記切欠き部の上部にシート状の前記上シート部を巻出し、又は、巻き取る上巻き手段と、
前記切欠き部の下部にシート状の前記下シート部を巻出し、又は、巻き取る下巻き手段と、
を有し、
前記上巻き手段と前記下巻き手段は、前記移動支持部の上下動に合わせて前記上シーツ部と前記下シート部とをそれぞれ巻出し、又は、巻き取る、
請求項８に記載のウエブのアキューム装置。
【請求項１０】
前記第１固定ローラと前記第２固定ローラが、前記支持壁の上部に設けられているか、又は、前記支持壁の下部に設けられている、
請求項１に記載のウエブのアキューム装置。
【発明の詳細な説明】
【技術分野】
【０００１】
本発明は、ウエブのアキューム装置に関するものである。
【背景技術】
【０００２】
フィルム、紙、布帛などの長尺状のウエブの搬送ラインにおいて、ウエブを溜め込むためのアキューム装置がある。このアキューム装置は、装置の上流側の走行速度を変えることなく、装置の下流側の走行速度を減速、又は、停止させる。
【０００３】
そのために、アキューム装置のフレームには、第１固定ローラと第２固定ローラが設けられ、この第１固定ローラと第２固定ローラの間に移動ローラが設けられている。そして、ウエブは、第１固定ローラ、移動ローラ、第２固定ローラに架け渡されて搬送され、ウエブを溜め込む場合には、移動ローラを上下方向に移動させ、ウエブの搬送距離を大きくする。
【先行技術文献】
【特許文献】
【０００４】
【特許文献１】特開２０１３−１４４２５号公報
【発明の概要】
【発明が解決しようとする課題】
【０００５】
しかし、従来のアキューム装置は、第１固定ローラ、移動ローラ、第２固定ローラ共に左右両側から回転自在に支持する構造であるため、アキューム装置の設置に広いスペースが必要であり、また、第１固定ローラ、移動ローラ、第２固定ローラにウエブを通紙がし難いという問題点があった。
【０００６】
そこで本発明は上記問題点に鑑み、アキューム装置の設置スペースを小さくすることができると共に、ウエブの通紙が行い易いウエブのアキューム装置を提供することを目的とする。
【課題を解決するための手段】
【０００７】
本発明は、フレームと、前記フレームに立設された支持壁と、前記支持壁に一方の軸のみが回転自在に支持された少なくとも１本の第１固定ローラと、前記支持壁に一方の軸のみが回転自在に支持された少なくとも１本の第２固定ローラと、前記第１固定ローラと前記第２固定ローラとの間であって、前記支持壁に対し上下動自在に設けられた移動支持部と、前記移動支持部に一方の軸のみが回転自在に支持された少なくとも１本の移動ローラと、前記移動支持部を上下動させる駆動手段と、を有し、前記第１固定ローラと第２固定ローラが同じ高さに設けられ、走行するウエブは、前記第１固定ローラ、前記移動ローラ、前記第２固定ローラの順番に架け渡されている、ウエブのアキューム装置である。
【発明の効果】
【０００８】
本発明によれば、第１固定ローラ、第２固定ローラ、移動ローラは、一方の軸のみが回転自在に支持された片持ち構造であるため、これらローラを支持するフレームの設置スペースを狭くでき、また、片持ち構造であるためウエブの通紙を行い易い。
【図面の簡単な説明】
【０００９】
【図１】本発明の一実施形態を示すウエブのアキューム装置の右側面図であり、ウエブが滞留していない状態の図である。
【図２】ウエブのアキューム装置の右側面図であり、ウエブが滞留している状態の図である。
【図３】アキューム装置の左側面図である。
【図４】アキューム装置の前方から見た縦断面図である。
【図５】アキューム装置の上方から見た横断面図である。
【発明を実施するための形態】
【００１０】
以下、本発明の一実施形態のウエブＷのアキューム装置１について図１〜図５を参照して説明する。アキューム装置１は、フィルム、布帛、布などの長尺状のウエブＷを滞留させて、アキューム装置１の下流側におけるウエブＷの走行速度を減速、又は、停止させることができる。なお、ウエブＷは、前後方向に搬送路に沿って走行するものであり、ウエブＷの幅方向が左右方向であるとして説明する。
【００１１】
（１）アキューム装置１の構成
アキューム装置１の構成について図１〜図５を参照して説明する。
【００１２】
アキューム装置１のフレーム１０は、図１に示すように、水平な床に設置された基台１２、基台１２の前部と後部にはそれぞれ前壁１４，後壁１６、前壁１４と後壁１６の上端部に設けられた天井壁２２とよりなる。前壁１４の上部には、ウエブＷが搬入される搬入口２４が水平に開口し、後壁１６の上部には、ウエブＷが搬出される搬出口２６が水平に開口している。図４に示すように、フレーム１０の右側面、すなわち、天井壁２２、前壁１４、後壁１６の右端部には、開閉自在に扉２８が設けられている。この扉２８には、フレーム１０内部が見えるように透明板２９が設けられている。前壁１４と後壁１６の間には、前後方向に支持壁３０が立設されている。図１と図４に示すように、基台１２、天井壁２２、前壁１４、後壁１６、扉２８、支持壁３０に囲まれた閉塞空間が「作業空間１０２」となる。
【００１３】
支持壁３０の前部には、図１と図２に示すように、２本の第１固定ローラ３２，３２が設けられている。第１固定ローラ３２は、一方の軸が支持壁３０に回転自在に固定され、他方の軸は支持されていない片持ち状態となっている。また、図４に示すように、２本の第１固定ローラ３２，３２の回転軸は、水平に設けられ、作業空間１０２に突出している。２本の第１固定ローラ３２，３２は水平に並んで支持壁３０に固定されている。
【００１４】
支持壁３０の中央部には、図１と図２に示すように、２本の第２固定ローラ３４，３４が設けられている。第２固定ローラ３４の一方の軸のみが支持壁３０に回転自在に固定され、他方の軸は支持されていない片持ち状態となっている。また、図４に示すように、２本の第２固定ローラ３４，３４の回転軸は、水平に設けられ、作業空間１０２に突出している。２本の第２固定ローラ３４，３４は水平に並んで支持壁３０に固定されている。
【００１５】
支持壁３０の後部には、図１と図２に示すように、２本の第３固定ローラ３６，３６が設けられている。第３固定ローラ３６の一方の軸が支持壁３０に回転自在に固定され、他方の軸は支持されていない片持ち状態となっている。また、図４に示すように、２本の第３固定ローラ３６，３６の回転軸は、水平に設けられ、作業空間１０２に突出している。２本の第３固定ローラ３６，３６は水平に並んで支持壁３０に固定されている。
【００１６】
第１固定ローラ３２と第２固定ローラ３４の間にある支持壁３０には、図１と図２に示すように、縦方向に長方形状の第１切欠き部４２が設けられている。第１切欠き部４２には第１移動支持部４４が配され、第１移動支持部４４は、第１切欠き部４２に沿って上下動する。第１移動支持部４４の右側面には、図４に示すように、２本の第１移動ローラ３８，３８の一方の軸が回転自在に支持され、他方の軸は支持されていない片持ち状態となっている。また、２本の第１移動ローラ３８，３８の回転軸は、水平に設けられ、作業空間１０２に突出している。すなわち、２本の第１移動ローラ３８，３８が、２本の第１固定ローラ３２，３２と２本の第２固定ローラ３４，３４の間に設けられている。
【００１７】
第１切欠き部４２がある支持壁３０の左面の上端部には、図３と図４に示すように、第１棚４６が設けられ、この第１棚４６と対応する基台１２には第１軸受け部４８が設けられている。第１棚４６と第１軸受け部４８の間には垂直方向に第１雄ネジ棒５０が回転自在に配されている。第１棚４６の上には、雄ネジ棒５０を回転させるモータを含む第１駆動部５２が設けられている。第１棚４６と第１軸受け部４８の間であって、第１雄ネジ棒５０の両側には第１シャフト５４，５６が垂直方向に設けられている。
【００１８】
第１移動支持部４４の左側面には、図３と図４に示すように、第１上下部５８が設けられている。図５に示すように、第１上下部５８は、第１雄ネジ棒５０と螺合する雌ネジ孔を有すると共に、第１シャフト５４，５６が貫通する貫通孔を有している。第１駆動部５２が、第１雄ネジ棒５０を回転させると、これに螺合した第１上下部５８と第１移動支持部４４が上下方向に移動し、これによって２本の移動ローラ３８，３８が水平状態を維持しつつ上下方向に移動する。
【００１９】
第１切欠き部４２がある支持壁３０の右面の上端部には、図１と図４に示すように、第１上シャッタ装置６０が設けられている。第１上シャッタ装置６０の内部には、シート状の第１上シャッタ部材６２がロール状に巻回された第１上巻き部６４が収納され、この第１上シャッタ部材６２の一端部が第１移動支持部４４の上部に固定されている。第１上巻き部６４には、不図示のバネが設けられ、第１上シャッタ部材６２を常に上方に付勢している。このシート状の第１上シャッタ部材６２は、第１切欠き部４２の開口部を全て閉塞する大きさに設定されている。
【００２０】
第１切欠き部４２の右面の下端部には、図１と図４に示すように、第１下シャッタ装置６６が設けられている。第１下シャッタ装置６６の内部には、シート状の第１下シャッタ部材６８がロール状に巻回された第１下巻き部７０が収納され、この第１下シャッタ部材６８の一端部が第１移動支持部４４の下部に固定されている。第１下巻き部７０には、不図示のバネが設けられ、第１下シャッタ部材６８を常に下方に付勢している。このシート状の第１下シャッタ部材６８は、第１切欠き部４２の開口部を全て閉塞する大きさに設定されている。
【００２１】
第１移動支持部４４が第１駆動部５２によって上下動すると、図１〜図４に示すように、第１移動支持部４４の上方にある第１切欠き部４２の開口部は、第１上シャッタ装置６０から延びた第１上シャッタ部材６２で閉塞され、第１移動支持部４４の下方にある第１切欠き部４２の開口部は、第１下シャッタ装置６６から延びた第１下シャッタ部材６８で閉塞される。そして、第１上巻き部６４、第１下巻き部７０にはそれぞれバネが設けられているため、第１上シャッタ部材６２と第１下シャッタ部材６８は、第１上シャッタ装置６０と第１下シャッタ装置６６に常に収納される。
【００２２】
第２固定ローラ３４と第３固定ローラ３６の間にある支持壁３０には、図１と図２に示すように、縦方向に長方形状の第２切欠き部７２が設けられている。第２切欠き部７２には第２移動支持部７４が配され、第２移動支持部７４は、第２切欠き部７２に沿って上下動する。第２移動支持部７４の右側面には、図４に示すように、２本の第２移動ローラ４０，４０の一方の軸が回転自在に支持され、他方の軸は支持されていない片持ち状態となっている。また、２本の第２移動ローラ４０，４０の回転軸は、水平に設けられ、作業空間１０２に突出している。すなわち、２本の第２移動ローラ４０，４０が、２本の第２固定ローラ３４，３４と２本の第２固定ローラ３６，３６の間に設けられている。
【００２３】
第２切欠き部７２がある支持壁３０の左面の上端部には、図３と図４に示すように、第２棚７６が設けられ、この第２棚７６と対応する基台１２には第２軸受け部７８が設けられている。第２棚７６と第２軸受け部７８の間には垂直方向に第２雄ネジ棒８０が回転自在に配されている。第２棚７６の上には、雄ネジ棒８０を回転させるモータを含む第２駆動部８２が設けられている。第２棚７６と第２軸受け部７８の間であって、第２雄ネジ棒８０の両側には第２シャフト８４，８６が垂直方向に設けられている。
【００２４】
第２移動支持部７４の左側面には、図３と図４に示すように、第２上下部８８が設けられている。図５に示すように、第２上下部８８は、第２雄ネジ棒８０と螺合する雌ネジ孔を有すると共に、第２シャフト８４，８６が貫通する貫通孔を有している。第２駆動部８２が、第２雄ネジ棒８０を回転させると、これに螺合した第２上下部８８と第２移動支持部７４が上下方向に移動し、これによって２本の移動ローラ４０，４０が水平状態を維持しつつ上下方向に移動する。
【００２５】
第２切欠き部７２の右面の上端部には、図１と図４に示すように、第２上シャッタ装置９０が設けられている。第２上シャッタ装置９０の内部には、シート状の第２上シャッタ部材９２がロール状に巻回された第２上巻き部６４が収納され、この第２上シャッタ部材９２の一端部が第２移動支持部７４の上部に固定されている。第２上巻き部６４には、不図示のバネが設けられ、第２上シャッタ部材９２を常に上方に付勢している。このシート状の第２上シャッタ部材９２は、第２切欠き部７２の開口部を全て閉塞する大きさに設定されている。
【００２６】
第２切欠き部７２がある支持壁３０の右面の下端部には、図１と図４に示すように、第２下シャッタ装置９６が設けられている。第２下シャッタ装置９６の内部には、シート状の第２下シャッタ部材９８がロール状に巻回された第２下巻き部が収納され、この第２下シャッタ部材９８の一端部が第２移動支持部７４の下部に固定されている。第２下巻き部には、不図示のバネが設けられ、第２下シャッタ部材９８を常に下方に付勢している。このシート状の第２下シャッタ部材９８は、第２切欠き部７２の開口部を全て閉塞する大きさに設定されている。
【００２７】
第２移動支持部７４が第２駆動部８２によって上下動すると、図１〜図４に示すように、第２移動支持部７４の上方にある第２切欠き部７２の開口部は、第２上シャッタ装置９０から延びた第２上シャッタ部材９２で閉塞され、第２移動支持部７４の下方にある第２切欠き部７２の開口部は、第２下シャッタ装置９６から延びた第２下シャッタ部材９８で閉塞される。そして、第２上巻き部６４、第２下巻き部１００にはそれぞれバネが設けられているため、第２上シャッタ部材９２と第２下シャッタ部材９８は、第２上シャッタ装置９０と第２下シャッタ装置９６に常に収納される。
【００２８】
（２）アキューム装置１の動作状態
アキューム装置１の動作状態について図１〜図５を参照して説明する。
【００２９】
まず、アキューム装置１が動作していないときは、図１に示すように、第１移動ローラ３８と第２移動ローラ４０は、第１切欠き部４２と第２切欠き部７２の上端部に位置している。この場合に、第１切欠き部４２と第２切欠き部７２は、下シャッタ部材６８、下シャッタ部材９８によって覆われている。
【００３０】
次に、図１に示すように、長尺状のウエブＷを搬入口２４から通し、片持ち状態の第１固定ローラ３２、第１移動ローラ３８、第２固定ローラ３４、第２移動ローラ４０、第３固定ローラ３６に、右側から架け渡す。そして、搬出口２６から搬出する。
【００３１】
次に、図１に示すように、ウエブＷを通常の走行速度で走行させると、ウエブＷは２本の第１固定ローラ３２の上部、２本の第１移動ローラ３８、２本の第２固定ローラ３４の上部、２本の第２移動ローラ４０の下部、２本の第３固定ローラ３６の上部を通って走行する。
【００３２】
次に、下流側の巻取り装置などの動作状態に応じてウエブＷを減速させたり、又は、停止させるときに、アキューム装置１が動作させる。図２に示すように、この減速又は停止させるウエブＷの走行速度に応じて、第１移動支持部４４、第２移動支持部７４を下降させる。これによって２本の第１移動ローラ３８と２本の第２移動ローラ４０が下方に移動し、アキューム装置１内部に溜め込むウエブＷの量を増加させることができる。この場合に、第１移動支持部４４と第２移動支持部７４の上方は上シャッタ部材６２によって閉塞され、下方は下シャッタ部材６８によって閉塞されている。
【００３３】
次に、下流側の巻取り装置などの作業が終了し、ウエブＷの走行速度を再び通常速度に上昇させる場合には、図１に示すように、第１移動支持部４４、第２移動支持部７４を上昇させることにより、２本の第１移動ローラ３８、２本の第２移動ローラ４０を上昇させて、作業空間１０２内部に滞留させるウエブＷを少なくする。
【００３４】
（３）効果
本実施形態によれば、第１固定ローラ３２、第２固定ローラ３４、第３固定ローラ３６、第１移動ローラ３８、第２移動ローラ４０が一方の軸のみ支持された片持ちであるため、基台１２の左右方向の寸法を小さくすることができ、アキューム装置１のフレーム１０の設置空間を削減できる。
【００３５】
また、各ローラが片持ちであるため、ウエブＷを通す場合に右側から簡単に通紙することができ、そのため通紙作業が容易となる。
【００３６】
また、上下動に移動する２本の第１移動ローラ３８を支持する第１移動支持部４４は、第１雄ネジ棒５０と２本のシャフト５４，５６によって片持ち状態を支持しているため、第１移動ローラ３８にウエブＷが架け渡されても、第１移動ローラ３８の回転軸が撓んだりすることがない。第２移動ローラ４０についても同様に回転軸が水平方向から撓んだりすることがない。
【００３７】
また、第１移動ローラ３８、第２移動ローラ４０が上下動しても、第１切欠き部４２と第２切欠き部７２は上シャッタ部材６２，９２と下シャッタ部材６８，９８によって閉塞されているため、作業空間１０２は、第１雄ネジ棒５０、第２雄ネジ棒８０がある空間と隔離されている。したがって、第１雄ネジ棒５０、第２雄ネジ棒８０が回転することによる塵が発生しても、この塵は支持壁３０、上シャッタ部材６２，９２と下シャッタ部材６８，９８によって遮られ、作業空間１０２のクリーン状態を維持できる。
【００３８】
また、作業者は、扉２８の透明板２９から、片持ち状態の各ローラを移動するウエブＷを観察できる。
【００３９】
（４）変更例１
上記実施形態では、第１固定ローラ３２、第２固定ローラ３４、第３固定ローラ３６、第１移動ローラ３８、第２移動ローラ４０をそれぞれ２本ずつ設けたが、これに代えて１本ずつでもよい。
【００４０】
（５）変更例２
上記実施形態では、第１固定ローラ３２、第２固定ローラ３４、第３固定ローラ３６を支持壁３０の上端部に設けたが、これに代えて支持壁３０の下端部に設け、第１移動ローラ３８、第２移動ローラ４０を上方に移動させてもよい。
【００４１】
（６）変更例３
上記実施形態では、２本の固定ローラを３組、移動ローラを２組設けたが、これに代えて固定ローラを２組設け、この間に１組の移動ローラを設けるだけでもよく、また、４組以上の固定ローラを設け、その間に移動ローラを設ける構造であってもよい。
【００４２】
（７）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４３】
１・・・アキューム装置、１０・・・フレーム、１２・・・基台、３０・・・フレーム１０、３２・・・第１固定ローラ、３４・・・第２固定ローラ、３６・・・第３固定ローラ、３８・・・第１移動ローラ、４０・・・第２移動ローラ、４２・・・第１切欠き部、４４・・・第１移動支持部、５０・・・第１雄ネジ棒、５２・・・第１駆動部、６０・・・上シャッタ装置、６２・・・上シャッタ部材、６６・・・下シャッタ装置、６８・・・下シャッタ部材
【図１】
2018184268.tif 000003
【図２】
2018184268.tif 000004
【図３】
2018184268.tif 000005
【図４】
2018184268.tif 000006
【図５】
2018184268.tif 000007